(57)【要約】【課題】画像を表示すると同時に、光データを送受信できる液晶表示装置において、光データを送受信しているときにおける画面輝度の変化を抑制する。【解決手段】液晶表示パネル、バックライト、映像信号処理回路、バックライト制御部を有する液晶表示装置であって、前記液晶表示装置はさらに、光データを発信または送信する回路を有し、前記光データを前記バックライトへの入力に重畳することが出来る実効値に換算する通信データ変換回路を有し、前記実効値は、前記バックライト制御部に入力して、バックライトの輝度を変えることが出来ることが出来ることを特徴とする液晶表示装置。【選択図】図５
2017138539.tif 000002
【特許請求の範囲】
【請求項１】
液晶表示パネル、バックライト、映像信号処理回路、バックライト制御部を有する液晶表示装置であって、
前記液晶表示装置はさらに、光データを発信または送信する回路を有し、
前記光データを前記バックライトへの入力に重畳することが出来る実効値に換算する通信データ変換回路を有し、
前記実効値は、前記バックライト制御部に入力して、バックライトの輝度を変えることが出来ることを特徴とする液晶表示装置。
【請求項２】
前記光データは、前記液晶表示パネルの一部の領域に画像表示しているときに送信されることを特徴とする請求項１に記載の液晶表示装置。
【請求項３】
前記光データは、映像信号の１フレームに対応してフレームメモリに書き込まれ、前記実効値は、前記１フレーム毎に計算されることを特徴とする請求項１に記載の液晶表示装置。
【請求項４】
前記バックライトの光源は、ＬＥＤであることを特徴とする請求項１に記載の液晶表示装置。
【請求項５】
液晶表示パネル、バックライト、映像信号処理回路、バックライト制御部を有する液晶表示装置であって、
前記液晶表示装置はさらに、光データを送信または受信する回路を有し、
前記光データを、前記映像信号処理回路に入力して画面輝度を変えることが出来る実効値に変換することが出来る通信データ変換回路を有し、
前記実効値は、映像信号処理回路に入力して、画面輝度を変えることが出来ることを特徴とする液晶表示装置。
【請求項６】
前記光データは、前記液晶表示パネルの一部の領域に画像表示しているときに送信または受信されることを特徴とする請求項５に記載の液晶表示装置。
【請求項７】
前記光データの前記実効値は、前記液晶表示装置におけるγ特性を変化させるものであることを特徴とする請求項５に記載の液晶表示装置。
【請求項８】
前記光データは、映像信号の１フレームに対応してフレームメモリに書き込まれ、前記実効値は、前記１フレーム毎に計算されることを特徴とする請求項５に記載の液晶表示装置。
【請求項９】
前記γ特性が異なる複数のγ特性表を有していることを特徴とする請求項７に記載の液晶表示装置。
【請求項１０】
前記バックライトの光源は、ＬＥＤであることを特徴とする請求項５に記載の液晶表示装置。
【請求項１１】
有機ＥＬ表示パネル、映像信号処理回路を有する有機ＥＬ表示装置であって、
前記有機ＥＬ表示装置はさらに、光データを受信する回路を有し、
前記光データを、前記映像信号処理回路に入力して画面輝度を変えることが出来る実効値に変換することが出来る通信データ変換回路を有し、
前記実効値は、映像信号処理回路に入力して、画面輝度を変えることが出来ることを特徴とする有機ＥＬ表示装置。
【請求項１２】
前記光データは、前記有機ＥＬ表示パネルの一部の領域に画像表示しているときに受信されることを特徴とする請求項１１に記載の有機ＥＬ表示装置。
【請求項１３】
前記光データの前記実効値は、前記有機ＥＬ表示装置におけるγ特性を変化させるものであることを特徴とする請求項１１に記載の有機ＥＬ表示装置。
【請求項１４】
前記γ特性が異なる複数のγ特性表を有していることを特徴とする請求項１３に記載の液晶表示装置。
【発明の詳細な説明】
【技術分野】
【０００１】
本発明は表示装置に係り、特に光による外部との通信が可能な液晶表示装置に関する。
【背景技術】
【０００２】
光によって情報を通信する技術はすでに一般的であるが、これまでは、光通信信号専用の発信機と受信機が必要であった。近年、液晶表示装置のバックライトとしてＬＥＤが用いられていることから、ＬＥＤからの出力光に光通信のための信号を重畳させることによって、光通信を可能とする技術が開発されている。一方、表示領域に光センサを配置することによって、外部から光による情報を受信することが可能である。
【０００３】
特許文献１には、バックライトを用いて、液晶表示装置から光信号を発信する技術が記載されている。特許文献２には、照明に光通信のための信号を重畳させることによって、表示領域を受信器として使用する技術が記載されている。特許文献３には、液晶表示装置のバックライトを、表示領域において、光が必要な部分のみに照射する、いわゆるローカルディミングの技術が記載されている。
【先行技術文献】
【特許文献】
【０００４】
【特許文献１】特開２００４−３２８６３２号公報
【特許文献２】特開２００６−９４０１４号公報
【特許文献３】特開２０１１−１１８１９５号公報
【発明の概要】
【発明が解決しようとする課題】
【０００５】
光通信に使用される光の周波数帯は、液晶表示装置のバックライトとして使用されるためにＬＥＤに入力される信号の周波数帯よりもはるかに高い領域であるから、表示領域に対するバックライトの輝度には影響を与えないと考えられてきた。
【０００６】
しかしながら、光通信を行っている場合の画像は、光通信を行っていない場合の画像に比較して画質が低下することがわかってきた。これは、光通信を行っている場合の信号の実効値が、ＬＥＤへの入力に重畳され、バックライトの輝度が変化することが原因であることが発明者によって発見された。
【０００７】
本発明の課題は、光通信が可能な液晶表示装置において、光通信をおこなっている場合における表示画質と光通信を行っていない場合の表示画質とが同等になるような液晶表示装置を実現することである。なお、この課題は、液晶表示装置以外であっても、バックライトを用いた表示装置については、同様である。さらに、バックライトを用いない表示装置についても同様な課題が存在する。
【課題を解決するための手段】
【０００８】
本発明は上記課題を克服するものであり、代表的な手段は次のとおりである。
【０００９】
（１）液晶表示パネル、バックライト、映像信号処理回路、バックライト制御部を有する液晶表示装置であって、前記液晶表示装置はさらに、光データを発信または送信する回路を有し、前記光データを前記バックライトへの入力に重畳することが出来る実効値に換算する通信データ変換回路を有し、前記実効値は、前記バックライト制御部に入力して、バックライトの輝度を変えることが出来ることが出来ることを特徴とする液晶表示装置。
【００１０】
（２）液晶表示パネル、バックライト、映像信号処理回路、バックライト制御部を有する液晶表示装置であって、
前記液晶表示装置はさらに、光データを送信または受信する回路を有し、
前記光データを、前記映像信号処理回路に入力して画面輝度を変えることが出来る実効値に変換することが出来る通信データ変換回路を有し、
前記実効値は、映像信号処理回路に入力して、画面輝度を変えることが出来ることを特徴とする液晶表示装置。
【００１１】
（３）前記光データの前記実効値は、前記液晶表示装置におけるγ特性を変化させるものであることを特徴とする（２）に記載の液晶表示装置。
【００１２】
（４）有機ＥＬ表示パネル、映像信号処理回路を有する有機ＥＬ表示装置であって、前記有機ＥＬ表示装置はさらに、光データを受信する回路を有し、前記光データを、前記映像信号処理回路に入力して画面輝度を変えることが出来る実効値に変換することが出来る通信データ変換回路を有し、前記実効値は、映像信号処理回路に入力して、画面輝度を変えることが出来ることを特徴とする有機ＥＬ表示装置。
【００１３】
（５）前記光データの前記実効値は、前記有機ＥＬ表示装置におけるγ特性を変化させるものであることを特徴とする（４）に記載の有機ＥＬ表示装置。
【図面の簡単な説明】
【００１４】
【図１】表示装置を用いて光データを送信する例を示す概念図である。
【図２】表示装置を用いて光データを受信する例を示す概念図である。
【図３】液晶表示パネルとバックライトの組み合わせを示す斜視図である。
【図４】実施例１の原理を示す図である。
【図５】実施例１において、光データを送信する場合のブロック図である。
【図６】実施例１において、光データを受信する場合のブロック図である。
【図７】実施例２の原理を示す図である。
【図８】γ特性の例を示す図である。
【図９】実施例２において、光データを送信する場合のブロック図である。
【図１０】実施例２において、光データを受信する場合のブロック図である。
【図１１】直下型バックライトを有する液晶表示装置におけるローカルディミングを示す模式図である。
【図１２】サイドライト型バックライトを有する液晶表示装置におけるローカルディミングを示す模式図である。
【図１３】実施例３の概念を示す模式図である。
【図１４】実施例３の１例を示すブロック図である。
【図１５】実施例３の他の例を示すブロック図である。
【発明を実施するための形態】
【００１５】
以下に実施例を用いて本発明の内容を詳細に説明する。実施例では液晶表示装置を用いて本発明を説明するが、本発明は、液晶表示装置に限らず、バックライトを用いている表示装置を光通信に使用する場合においても適用することが出来る。さらに、有機ＥＬ表示装置等、バックライトを用いない表示装置についても本発明を適用することが出来る。
【実施例１】
【００１６】
図１は本発明を適用した例であり、通常どおり、液晶表示装置を使用すると同時に天気予報を光によって、液晶表示装置から配信している例である。すなわち、図１では、液晶表示装置にはテキストが表示されているが、液晶表示装置に表示されたデータとは全く別の、天気予報のデータが複数の場所に配信されている。
【００１７】
図２は本発明を適用した他の例であり、通常どおり、液晶表示装置を使用すると同時に表示されているテキストとは全く別な、天気予報のデータを光によって受信している例である。光によって受信したデータはメモリに記憶され、必要に応じて表示される。すなわち、通常の無線あるいはケーブルによるデータ通信とは全く別のデータを光によって受信している。液晶表示装置には、光センサが内蔵されている。
【００１８】
図３は液晶表示装置を構成する液晶表示パネル１０とバックライト２０を示す例である。液晶表示パネル１０は自身では発光しないので、背面にバックライト２０を配置し、液晶表示パネル１０の表示領域に形成された多数の画素の光透過率を液晶によって制御することによって画像を表示する。図３において、液晶表示パネル１０はＴＦＴ、画素電極、映像信号線、走査線等が形成されたＴＦＴ基板１１とブラックマトリクス等が形成された対向基板１２との間に液晶が挟持された構成を有している。
【００１９】
図３において、対向基板１２とＴＦＴ基板１１が重なっている部分に表示領域５０が形成され、表示領域５０の外側が額縁領域５５となっている。ＴＦＴ基板１１は対向基板１２よりも大きく形成され、ＴＦＴ基板１１が１枚となっている部分は駆動ＩＣや端子が形成された端子部１３となっている。ＴＦＴ基板１１の背面には、バックライト２０が配置され、バックライトの光源にはＬＥＤ（Ｌｉｇｈｔ  Ｅｍｉｔｔｉｎｇ  Ｄｉｏｄｅ）が使用されている。
【００２０】
ＬＥＤは直流電流成分によって発光する。本発明では、ＬＥＤに発光のための直流電流の他に、光通信のためのデータを重畳することによって、バックライトの光を用いてデータの送信を行う。以下、光によって送受信するデータを光データということもある。光データは図３における表示領域から発信されることもあるし、額縁領域から発信されることもある。さらには、バックライトの背面から発信されることもある。
【００２１】
一方、光データの受信は液晶表示パネルの額縁領域に光センサを配置する場合が多いが、表示領域の一部を使用する場合もある。また、バックライトの背面に光センサを配置する場合もあるし、液晶表示パネルあるいはバックライト以外の部分の液晶表示装置に光センサを配置する場合もある。
【００２２】
図１または図２における光データは、液晶表示装置に表示されるデータとは全く別なデータである。光データは、ＬＥＤを発光させるための電流とはかけ離れた周波数で搬送されるので、ＬＥＤの発光強度には影響を与えないと考えられてきた。しかし、実際には、送受信される光データの内容によって、画面の輝度が影響をうけることが発明者によって発見された。本発明の課題は、光データによる液晶表示装置の画面への影響を軽減することである。
【００２３】
図４は、本発明における実施例１の原理を示す図である。液晶表示装置の表示を行う映像データはフレーム毎に更新される。映像データとは別なデータである光データは映像信号とは関係なく送受信されるが、本発明では、光データをフレーム毎のタイミングで区切る。光データは各フレーム毎に異なっている。図４において、（Ａ）は、送信又は受信される光データの例を示しており、パルス波が光データを示している。図４の（A）では、光データは、第１フレームにおいて、第２フレームよりもデータ量が多いことを示している。実際には、各フレーム毎に送受信されるデータは、図４に示すよりもはるかに多いが、このデータは説明のためのデータである。
【００２４】
つまり、光データの第１フレームには、第２フレームよりもより大きな光データが送信または受信されている。この光データの実効値がバックライトの光源として使用されるＬＥＤの電流に重畳されると、ＬＥＤの輝度を変化させることになり、画像に影響を与える。なお、ＬＥＤの発光強度は、正確には、ＬＥＤに入力される電力によって決められるので、以下、ＬＥＤへの入力電流という代わりに入力電力という場合もある。図４の（Ａ）は、光データをＡＭ変調によって形成している例であるが、ＦＭ変調で形成した場合にも本発明を適用することが出来る。
【００２５】
図４の（Ｂ）は、光データの実効値が第１フレームと第２フレームにおいて異なり、これがバックライトの輝度に影響を与えることを示している。つまり、第１フレームでは、ＬＥＤの電力に重畳される光データの実効値が第２フレームにおけるよりも大きいので、画面輝度が第１フレームのほうが第２フレームよりも大きくなることを示している。
【００２６】
図４の（Ｃ）は、バックライトへ入力すべき電力を、（Ｂ）におけるバックライトの輝度変化を相殺するように変化させることを示している。バックライトへ入力すべき電力は、光源であるＬＥＤに入力すべき電力と言い換えることが出来る。つまり、光データにおける実効値をフレーム毎に計算し、この実効値の分、ＬＥＤへの入力電力を差し引きする。
【００２７】
図４（Ｄ）は、その結果、液晶表示装置の画面の輝度が一定に保たれ、画質の劣化を防止することが出来ることを示している、図４（Ｄ）のパルスは、光信号の実効値が第１フレームと第２フレームとの間で同程度になったことを示す模式図である。
【００２８】
図５は、光データを送信する場合の、本発明の構成を示すブロック図である。図５において、同期信号はタイミングコントローラに入力し、電源からは、各電力回路に電力が供給される。図５における、点線内が本発明を示す部分である。図５において、映像信号が無線あるいはケーブルから液晶表示装置に入力される。この映像信号は、映像信号処理回路で処理され、タイミングコントローラから、映像を表示するための必要な信号が、走査ドライバ、データドライバを経て液晶表示パネルに供給される。また、タイミングコントローラからの信号は、バックライト制御部を経てＬＥＤドライバに送られる。
【００２９】
液晶表示パネル１０内では、データ線１１２が縦方向に延在し、走査線１１１が横方向に延在している。データ線１１２と走査線１１１で囲まれた領域が画素になっており、各画素には、ＴＦＴ、画素電極とコモン電極で形成される液晶容量ＬＣとこれと並列に、データを保持するための保持容量ＣＳが形成されている。液晶表示パネル１０の背面には、光源としてＬＥＤを有するバックライト２０が配置している。
【００３０】
図５において、映像信号とは別な、光データとして送信するデータが液晶表示装置内で形成される。この光データは、映像信号が取り込まれるフレームと同期して、他のフレームメモリ内に取り込まれる。そして、光データの実効値が計算され、バックライト制御部に入力される。バックライト制御部には、タイミングコントローラから取り込まれた映像表示のためにバックライトに対する電力信号と、送信データ変換回路からの光データの実効値が取り込まれ、ＬＥＤを実際に駆動する電力が計算され、ＬＥＤドライバに入力される。
【００３１】
図６は、光データが外部から液晶表示装置に入力される例である。光データは、液晶表示装置に無線あるいはケーブルで液晶表示装置に供給される映像信号線とは全く別なデータである。外部からの光データは、液晶表示装置内に配置された光センサによって受光する。外部から供給された光データは、映像信号が取り込まれるフレームと同期して、他のフレームメモリ内に取り込まれる。そして、外部から取り込まれた光データの実効値が計算され、バックライト制御部に入力される。バックライト制御部では、タイミングコントローラから取り込まれた、映像表示のためのバックライトに対する電力信号と、受信データ変換回路からの光データの実効値が取り込まれ、ＬＥＤを実際に駆動する電力が計算され、ＬＥＤドライバに入力される。図６におけるその他の構成は図５で説明したのと同様である。
【００３２】
このように、光データを送信する場合も受信する場合も、映像信号のフレームに同期して、光データをフレームメモリに取り込み、光データの実効値を計算し、これをＬＥＤドライバの入力に加味することによって、液晶表示装置の輝度を一定に保つことが出来る。したがって、映像信号とは全く別な光データを送受信するときに生ずる画質の低下を抑制することが出来る。
【実施例２】
【００３３】
本実施例は、光データによる画像の輝度への影響を、バックライトにおけるＬＥＤへの入力によって相殺するのではなく、液晶表示パネルの透過率を変化させることによって、抑制するものである。
【００３４】
図７は実施例２における本発明の原理を示す図である。図７（Ａ）において、映像データとは別なデータである光データは、各フレーム毎に異なっており、図７（Ａ）では、光データは、第１フレームにおいて、第２フレームよりもデータ量が多いことを示している。第１フレームでは、第２フレームにおけるよりもより大きな光データが送信または受信されていることは図４（Ａ）と同様である。そして、この光データの実効値がバックライトの光源として使用されるＬＥＤの電流に重畳されると、ＬＥＤの輝度を変化させることになり、画像に影響を与えることも実施例１の図４（Ｂ）と同様である。
【００３５】
図７の（Ｂ）は、光データの実効値が第１フレームと第２フレームにおいて異なり、これがバックライトの輝度に影響を与えることを示している。つまり、第１フレームでは、ＬＥＤの電力に重畳される光データの実効値が第２フレームにおけるよりも多いので、画面輝度が第１フレームのほうが第２フレームよりも大きくなることを示している。この点も図４と同様である。
【００３６】
本実施例では、光データの実効値への補正をＬＥＤを駆動するバックライト制御部に反映させるのではなく、液晶表示パネルの透過率に反映させることが特徴である。つまり、ドライブ電圧と輝度の関係を規定するいわゆるγ特性を変えることが特徴である。図８は、γ特性の例であり、横軸ｘがドライブ電圧、縦軸ｙが輝度である。γの値を変えることによって、ドライブ電圧と輝度の関係を変えることが示されている。つまり、γ特性を変えることによって、輝度の最大と最小値は変わらないが、中間調を変えることが出来、画質を調整することが出来る。
【００３７】
図７に戻り、図７の（Ｃ）は、光データにしたがって、液晶表示パネルの透過率を変化させることを示している。つまり、光データのデータ量が少ないときは、液晶表示パネルの透過率がより大きくなるようなγ特性とすることによって、図７の（Ｄ）に示すように、光データによる液晶表示パネルの輝度への影響を相殺する。
【００３８】
本発明を実際に動作させるために、例えば、γ特性を与える表を必要な数分用意しておく。つまり、送受信される光データの実効値の値をあらかじめ数段階に分類し、各段階に対応したγ特性表を用意しておく。各フレームにおいて、計算された光データの実効値を、あらかじめ分類された実効値の範囲に割り振る。そして、各実効値に対応したγ特性の表を用いて、液晶表示パネルの輝度データとする。
【００３９】
図９は、本実施例を、光データを送信する場合に適用した構成を示すブロック図である。図９において、基本的な構成は、図５において説明したのと同様である。すなわち、図９において、送信光データは、映像データのフレームに対応して、フレームメモリに書き込まれる。この光データは送信データ変換回路において、輝度に与える実効値が計算される。この実効値は映像信号処理回路に送られる。映像信号処理回路において、実効値の大きさに応じて対応するγ特性の表が選択され、映像信号が形成される。
【００４０】
これによって、映像信号処理回路から出力される映像信号は、光データの出力信号の画面輝度に与える実効値を加味した値になるので、液晶表示パネルにおいて、正確な輝度を再現できる。図９においては、光データによる影響は映像信号処理回路に入力されるので、送信データ変換回路とバックライト制御部を結ぶ点線で示した矢印は、かならずしも必要ではない。しかし、輝度制御をより正確に行いたい場合は、本実施例に加え、実施例１で説明したように送信データ変換回路から実効値をバックライト制御部におくる手段を併用する場合もありうるという意味である。図９におけるその他の構成は、図５で説明したとおりである。
【００４１】
図１０は、本実施例において、光データが外部から液晶表示装置に入力される例である。光データは、液晶表示装置に無線あるいはケーブルで液晶表示装置に供給される映像信号線とは全く別なデータである。外部からの光データは、液晶表示装置内に配置された光センサによって受光する。図１０における構成は、光データが受信光データである他は、図９で説明したのと同様である。
【００４２】
このように、本実施例によれば、光データを送信する場合も受信する場合も、映像信号のフレームに同期して、フレームメモリに取り込み、光データの実効値を計算し、これを液晶表示パネルのγ特性に加味することによって、液晶表示装置の輝度を一定に保つことが出来る。したがって、映像信号とは全く別な光データを送受信するときに生ずる画質の低下を抑制することが出来る。
【実施例３】
【００４３】
液晶表示装置においては、バックライトが消費電力に対して大きな割合を占める。バックライトの電力消費を抑えるために、画面において、バックライトが必要な部分にのみ、バックライトを点灯し、画面の暗い部分には、バックライトを点灯しないという技術がある。これはローカルディミングと呼ばれている。ＬＥＤを光源にすることによって、この技術がより実用的になっている。
【００４４】
図１１は、液晶表示パネルの表示領域５０を横５、縦３の１５の領域に分割し、各領域毎に、バックライトの輝度を制御する場合である。各領域には、４個の光源２１、すなわち、ＬＥＤが配置している。ＬＥＤ２１からの光が液晶表示パネルの背面に向けて放射されるので、直下型バックライトと呼ばれている。バックライトが必要な領域にのみ、対応するＬＥＤ２１を点灯することによって、消費電力を抑えることが出来る。さらに、光が必要ない部分のブロックでは、ＬＥＤを点灯しないことによって、コントラストの向上も図ることが出来る。
【００４５】
図１２は、光源である、ＬＥＤを導光板２２のサイドに配置した、いわゆるサイド型のバックライトにおいて、ローカルディミングを可能にする構成を示す断面図である。すなわち、図１２において、導光板２２は、断面が楔型である複数のサブ導光板から形成され、各サブ導光板ごとにＬＥＤ２１が配置されている。図１２は断面であるから、各サブ導光板２２には、１個のＬＥＤ２１が配置しているが、実際には、各サブ導光板２２には複数のＬＥＤ２１が配置される場合が多い。
【００４６】
図１３は、光データを送信する場合において、ローカルディミングと本発明を組み合わせた例である。図１３において、表示領域５０の斜線をほどこした部分において、データを送信することを示している。図１３（Ａ）は、１フレーム全体において、光データを送信する例であり、実施例１あるいは実施例２に対応する。図１３（Ｂ）は、表示領域の長辺上側を表示する時にのみ、光データを送信する場合である。この場合、図１３（Ｂ）で示す領域のみが、光データの影響を受けるので、この部分にのみ、実施例１あるいは実施例２で説明した技術を利用することが出来る。
【００４７】
すなわち、図１３（Ｂ）で示す領域のみについて、光データの、輝度に与える影響の実効値の計算を行い、図１３（Ｂ）で示す領域のみにおいて、ＬＥＤへの入力電力の計算、あるいは、γ特性への影響の計算を行なえばよい。したがって、メモリ量、計算量等を節約することが出来、本発明を実施するための回路規模を小さくすることが出来る。図１３（Ｃ）乃至図１３（Ｉ）は、光データを送信する領域の他の種々の例を示すものであり、内容は図１３（Ｂ）で説明したのと同様である。
【００４８】
さらに、本発明は、光データを液晶表示パネルの表示領域側から発信する場合のみでなく、光データを液晶表示パネルの背面側、あるいは、液晶表示装置の背面側から光データを発信する場合についても適用することが出来る。すなわち、ＬＥＤからの光を液晶表示装置の背面から放射し、この光に重畳して光データを送信する場合がある。この場合においても、ローカルディミングの技術を使用することによって、表示領域の一部に対応する部分においてのみ、光データを送信することによって、回路規模の増大を抑制することが出来る。液晶表示装置の背面から光データを送信する場合の領域も図１３で示した領域と同じにすることが出来る。
【００４９】
図１３は、光データを送信する場合について説明したが、光データを図１３に示すタイミングで受信する場合にも本実施例を適用することが出来る。すなわち、受信タイミングを１フレームの特定期間のみに区切ることによって、輝度補正のための、メモリ、計算量等を節約することがで切る。
【００５０】
図１４は、本実施例を実施例１と組み合わせた場合の例である。図１４が図５と異なる点は、送信光データが特定の表示領域の特定の領域を表示しているときにのみ発信されることである。送信光データを蓄積するフレームメモリは、特定の表示領域に対応する部分にのみを蓄積すればよいので、メモリの規模は小さくてよい。そして、送信データ変換回路における実効値の計算の量も小さくて済む。
【００５１】
図１４において、バックライトのＬＥＤを制御するＬＥＤドライバは、ローカルディミングのための、表示領域の区画された領域に対応して形成されている。図１４では、図１３（Ｂ）に対応する領域を表示する時にのみ、光データを送信する場合である。この場合、バックライト制御部１にのみ、送信データ変換回路で計算された実効値のデータが入力される。他のバックライト制御部には、送信データ変換回路で計算された実効値のデータが入力されない。したがって、本発明を実施するために回路規模を小さくすることが出来る。
【００５２】
図１５は、本実施例を実施例２の図９と組み合わせた場合の例である。図１５が図９と異なる点は、送信光データが特定の表示領域の特定の領域を表示しているときにのみ発信されることである。送信光データを蓄積するフレームメモリは、特定の表示領域に対応する部分にのみを蓄積すればよいので、メモリの規模は小さくてよい。そして、送信データ変換回路における実効値の計算の量も小さくて済む。
【００５３】
図１５において、バックライトのＬＥＤを制御するＬＥＤドライバは、ローカルディミングのための、表示領域の区画された領域に対応して形成されている。図１５では、図１３（Ｂ）に対応する領域を表示する時にのみ、光データを送信する場合である。この場合、図１３（Ｂ）に対応する部分においてのみ、光データの輝度に対する実効値の影響を計算し、このデータをもとに、γ特性選択情報を映像信号処理回路に送る。
【００５４】
そして、図１３（Ｂ）に対応する領域でのみ、γ特性が補正された映像データが供給される。つまり、バックライト制御部１に対応する領域でのみ、映像データが補正されて供給される。したがって、補正のために回路規模を小さくすることが出来る。また、この場合、バックライト制御部１にのみ、送信データ変換回路で計算された実効値のデータが入力される。他のバックライト制御部には、送信データ変換回路で計算された実効値のデータが入力されない。したがって、本発明を実施するために回路規模を小さくすることが出来る。
【００５５】
図１５においては、光データによる影響は映像信号処理回路に入力されるので、送信データ変換回路とバックライト制御部を結ぶ点線で示した矢印は、かならずしも必要ではない。しかし、輝度制御をより正確に行いたい場合は、送信データ変換回路から実効値をバックライト制御部におくる図１４の構成を図１５の構成に加える場合もありうるという意味である。
【００５６】
本実施例では、主に光データを液晶表示装置から送信する場合について説明したが、光データを、表示領域の一部を表示しているときに同期して取り込むこともありうる。すなわち、本実施例を実施例１の図６および実施例２の図１０と組み合わせる場合である。この場合、映像データが影響を受けるのは、光データを取り込んでいるときの映像データのみなので、この領域を表示しているときの映像データのみを補正すればよいため、光データを送信するときと同様、回路規模を小さくすることが出来る。
【００５７】
以上は、液晶表示装置を例にとって説明したものであるが、本発明は、バックライトを用いている他の表示装置においても適用することが出来る。
【００５８】
また、光データを受信する場合は、液晶表示装置に限らず、有機ＥＬ表示装置においても、光データの輝度への影響が生じうる。したがって、実施例２あるいは実施例３で説明した、光データの実効値によってγ特性を補正する構成は、有機ＥＬ表示装置についても適用することが出来る。この場合、バックライトが無いことを除いて、実施例２の構成を適用することが出来る。
【符号の説明】
【００５９】
１０…液晶表示装置パネル、  １１…ＴＦＴ基板、  １２…対向基板、  １３…端子部、  ２０…バックライト、  ２１…光源、  ２２…導光板、  ５０…表示領域、  ５１…分割された表示領域、  ５５…額縁、  ６０…光データ送受信領域、  １００…液晶表示装置、  １１０…光通信データ、１１１…走査線、１１２…データ線
【図１】
2017138539.tif 000003
【図２】
2017138539.tif 000004
【図３】
2017138539.tif 000005
【図４】
2017138539.tif 000006
【図５】
2017138539.tif 000007
【図６】
2017138539.tif 000008
【図７】
2017138539.tif 000009
【図８】
2017138539.tif 000010
【図９】
2017138539.tif 000011
【図１０】
2017138539.tif 000012
【図１１】
2017138539.tif 000013
【図１２】
2017138539.tif 000014
【図１３】
2017138539.tif 000015
【図１４】
2017138539.tif 000016
【図１５】
2017138539.tif 000017